(57)【特許請求の範囲】
【請求項１】
容器の本体部が、対向する一対の第１パネル面と、該一対の第１パネル面の側縁部間に挟まれて配置される対向する一対の第２パネル面とを含んでいる薄肉ボトル容器であって、
前記一対の第１パネル面は、各々、容器の外側に凸に湾曲して滑らかに連続する一枚の湾曲凸面を形成しており、前記一対の第２パネル面は、各々、容器の内側に凸に湾曲して滑らかに連続する一枚の湾曲凹面を形成しており、
前記本体部は、肩部、胴部、及び底部から構成されており、
前記底部が、段差稜線を介して前記胴部の前記第１パネル面よりも外側に配置されており、
前記第２パネル面の前記湾曲凹面の上端部が、前記胴部から前記肩部に食い込んで配置されていると共に、前記第２パネル面の前記湾曲凹面の下端部が、前記段差稜線を越えて、前記胴部から前記底部に食い込んで配置されている薄肉ボトル容器。
【請求項２】
前記第２パネル面によって形成される湾曲凹面は、高さ方向の縦断面及び／又は幅方向の横断面において凹状に湾曲する湾曲凹面となっている請求項１記載の薄肉ボトル容器。
【請求項３】
前記第１パネル面によって形成される湾曲凸面は、高さ方向の縦断面及び／又は幅方向の横断面において凸状に湾曲する湾曲凸面となっている請求項１又は２記載の薄肉ボトル容器。
【請求項４】
前記容器を構成する合成樹脂は、ポリプロピレン、ポリエチレン又はポリエチレンテレフタレートである請求項１〜３の何れか１項記載の薄肉ボトル容器。
【請求項５】
前記合成樹脂の樹脂量が、容器の内容量に対して２．０〜５．０ｇ／１００ｍｌである請求項１〜４の何れか１項記載の薄肉ボトル容器。
【請求項６】
前記第１パネル面によって形成される湾曲凸面は、幅方向の横断面における曲率半径が３０〜４５ｍｍの湾曲面となっている請求項１〜５の何れか１項記載の薄肉ボトル容器。
【請求項７】
前記第１パネル面によって形成される湾曲凸面は、二次曲面となっている請求項１〜６の何れか１項記載の薄肉ボトル容器。
【請求項８】
前記段差稜線が、３次元形状に湾曲して延設している請求項１〜７の何れか１項記載の薄肉ボトル容器。
【請求項９】
前記第１パネル面が正面パネル面であり、前記第２パネル面が側面パネル面である請求項１〜８の何れか１項記載の薄肉ボトル容器。
【発明の詳細な説明】
【技術分野】
【０００１】
本発明は、薄肉ボトル容器に関し、特に容器の本体部が、一対の第１パネル面と一対の第２パネル面とを含んで構成される合成樹脂製の薄肉ボトル容器に関する。
【背景技術】
【０００２】
近年、例えば洗剤や食品等の各種の液体を内容物として収納する、合成樹脂製のボトル容器においても、環境負荷の低減が図られるようになっており、使用する樹脂量を減らした薄肉ボトル容器が種々開発されている（例えば、特許文献１参照）。また、ＣＯ2の排出量を鑑みて、薄肉ボトル容器を構成する合成樹脂として一般に用いられていたポリエチレンテレフタレートや塩化ビニルに代えて、ポリプロピレンやポリエチレンを用いた薄肉ボトル容器も種々開発されている。
【０００３】
一方、ポリプロピレンやポリエチレンを用いた薄肉ボトル容器では、保形剛性が低いため、例えば充填された液体による容器内部に残存する空気中の酸素吸収や、液体の充填時と使用時との温度差等によって、容易の内部が減圧すると、これの影響を受けて変形することにより、外観を損ないやすい。
【０００４】
このようなことから、変形吸収用のパネル部を設けたり、容器胴部の曲率半径と肉厚との関係をコントロールすることで、容器の内部の減圧によって外観が損われないようにした薄肉ボトル容器も種々開発されている（例えば、特許文献２、特許文献３参照）。また、薄肉ボトル容器の胴部に凹溝や凸リブを設けて補強することで、保形剛性を向上させることも行われている（例えば、特許文献４）。
【先行技術文献】
【特許文献】
【０００５】
【特許文献１】特開平１１−３４８９６０号公報
【特許文献２】特開２００１−１００４１９号公報
【特許文献３】特開２００３−２２６３１６号公報
【特許文献４】特許第３８１９２０７号公報
【発明の概要】
【発明が解決しようとする課題】
【０００６】
上記従来の薄肉ボトル容器では、外観が損われないようにしたり、胴部の保形剛性を向上させる工夫がなされているが、容器の使用形態によっては、保形剛性が十分ではない場合がある。例えば、詰め替え用の液体を充填した詰替え容器として薄肉ボトル容器を用いる場合、例えば容器の胴部を把持したままの状態で、口首部に装着されたキャップを開放すると、密封されていた内部の圧力が開放されて把持した胴部がさらに変形し易くなることで、把持力によって圧縮変形されて容積が減少することにより、口首部の上端流出口から充填した液体を不用意に溢れ出させることがある。
【０００７】
本発明は、内部の減圧による変形を目立たなくして外観が損なわれないようにすることができると共に、胴部を把持した際の把持力による変形を効果的に抑制することのできる薄肉ボトル容器を提供することを目的とする。
【課題を解決するための手段】
【０００８】
本発明は、容器の本体部が、対向する一対の第１パネル面と、該一対の第１パネル面の側縁部間に挟まれて配置される対向する一対の第２パネル面とを含んでいる薄肉ボトル容器であって、前記一対の第１パネル面は、各々、容器の外側に凸に湾曲して滑らかに連続する一枚の湾曲凸面を形成しており、前記一対の第２パネル面は、各々、容器の内側に凸に湾曲して滑らかに連続する一枚の湾曲凹面を形成している薄肉ボトル容器を提供することにより、上記目的を達成したものである。
【発明の効果】
【０００９】
本発明の薄肉ボトル容器によれば、内部の減圧による変形を目立たなくして外観が損なわれないようにすることができると共に、胴部を把持した力による変形を効果的に抑制することができる。
【図面の簡単な説明】
【００１０】
【図１】本発明の好ましい一実施形態に係る薄肉ボトル容器の斜視図である。
【図２】本発明の好ましい一実施形態に係る薄肉ボトル容器の（ａ）は正面図、（ｂ）は側面図、（ｃ）は上面図、（ｄ）は底面図である。
【図３】薄肉ボトル容器の好ましい他の形態を例示する斜視図である。
【図４】薄肉ボトル容器の好ましい他の形態を例示する、（ａ）は斜視図、（ｂ）正面図、（ｃ）は側面図である。
【図５】比較例１の薄肉ボトル容器の斜視図である。
【図６】ＦＥＭによる解析結果の説明図である。
【発明を実施するための形態】
【００１１】
図１に示す本発明の好ましい一実施形態に係る薄肉ボトル容器１０は、内容物として例えば詰替え用の液体洗剤を充填収容した詰替え容器として用いられる。本実施形態の薄肉ボトル容器１０は、液体の充填時と液体が封入されて製品化された後の陳列時との温度差や、液体洗剤に含まれる界面活性剤が容器１０の内部に残存する空気中の酸素を吸収すること等によって、封止された容器１０の内部が減圧された際に、このような内部の減圧による変形を効果的に吸収して、外観が損なわれないようにする機能を備える。また、実施形態の薄肉ボトル容器１０は、当該容器１０を把持した際の把持力等による外力によって、容器が変形するのを効果的に抑制して、例えば容器１０を把持したままの状態で、容器１０を封止するキャップ（図示せず）を開放した際に、容器が圧縮変形することで容積が減少して、口首部２６の上端流出口２６ａから充填した液体が不用意に溢れ出ないようにする機能を備える。
【００１２】
すなわち、本実施形態の薄肉ボトル容器１０は、図２（ａ）〜（ｄ）にも示すように、容器の本体部１１が、対向する一対の第１パネル面１６と、これらの一対の第１パネル面１６の側縁部１６ａ間に挟まれて配置される対向する一対の第２パネル面１７とを含んでおり、一対の第１パネル面１６を両側から把持して用いる合成樹脂製のボトル容器であって、一対の第１パネル面１６は、各々、容器１０の外側に凸に湾曲して滑らかに連続する一枚の湾曲凸面１８を形成しており、一対の第２パネル面１７は、容器１０の内側に凸に湾曲して滑らかに連続する一枚の湾曲凹面１９を形成している。第１パネル面１６の湾曲凸面１８と第２パネル面１７の湾曲凹面１９によって、容器１０の本体部１１が変形し難いようにしている。
【００１３】
また、本実施液形態では、第１パネル面１６は正面パネル面となっており、前記第２パネル面は側面パネル面となっている。
【００１４】
さらに、本実施形態では、薄肉ボトル容器１０は、好ましくはポリエチレンテレフタレートや塩化ビニルと比較してＣＯ2の排出量が少ない合成樹脂として、例えばポロプロピレンやポリエチレン（高密度ポリエチレン、低密度ポリエチレン）を使用し、例えばダイレクトブロー成形や延伸ブロー成形によって成形される。さらに、薄肉ボトル容器１０は、合成樹脂の樹脂量が、好ましくは容器の内容量に対して２．０〜５．０ｇ／１００ｍｌとなっていて、薄肉に形成されると共に、例えば２００〜８００ｃｃ程度の内容量を備えている。
【００１５】
本実施形態では、薄肉ボトル容器１０は、本体部１１と口首部２６とからなり、本体部１１は、口首部２６が突出する肩部１２と、自立載置部１３を形成する底部１４と、これらの間の胴部１５とによって構成される。ここで、本体部１１の肩部１２は、口首部２６の基端部から下方に向けて末広がりに拡径して広がる部分であり、外に凸の領域で見た時に、口首部２６の基端部から本体部１１の高さの３０％の高さ領域の部分とすることができる。
【００１６】
本体部１１の底部１４は、被載置面への載置部を構成する部分から上方に向けて拡径して広がる部分であり、載置部から本体部１１の高さの３０％の高さ領域の部分とすることができる。また凸面の傾きの変化点が大きいところを境に肩部、胴部、底部と分けることもできる。（変化点が、複数ある場合は、中心に近いところを境に分けることができる。）
【００１７】
本実施形態では、薄肉ボトル容器１０の肩部１２は、胴部１５の上方に連続して本体部１１の上端部分を構成するドーム形状を備える部分であり、容器１０の中心軸方向と垂直な横断形状が楕円形又は略楕円形となっている。肩部１２には、当該肩部１２の上端中央部分から上方に突出して、円筒形状の口首部２６が一体として設けられている。口首部２６には、封止用のキャップ（図示せず）が、外周面に形成した雄ネジ突条（図示せず）等を介して着脱可能に装着される。
【００１８】
また、肩部１２は、当該肩部１２への口首部２６の接合基端部２６ｂから、下方に向けて楕円形又は略楕円形の横断形状を滑らかに連続して拡径することで、ドーム形状の湾曲外周面を形成する。本実施形態では、肩部１２は、容器１０の表裏一対の正面部に設けられたラベル貼着境界案内線２０を挟んだ上方部分を当該肩部１２として、これの下方部分の胴部１５と連続する。
【００１９】
なお、本実施形態では、胴部１５との境界部分であるラベル貼付境界案内線２０に沿った肩部１２の下端部における楕円形又は略楕円形の横断形状は、後述する側面パネル面１７の食い込み部分によって両側端部を切り欠く前の仮想の横断形状（図２（ｄ）の点線参照）において、最大の曲率半径Ｒ2と、最小の曲率半径Ｒ1との比Ｒ1／Ｒ2が、１／４以下となっていることが好ましい。最大の曲率半径Ｒ2と、最小の曲率半径Ｒ1との比Ｒ1／Ｒ2が、１／４以下となっていることにより、正面パネルを強く把持した際の、正面パネルの凹みを抑制することが可能になる。
【００２０】
薄肉ボトル容器１０の底部１４は、胴部１５の下方に連続して容器の下端部分を構成する部分であり、本実施形態では、図２（ｄ）に示すように、肩部１２の楕円形又は略楕円形の横断形状と略相似の、楕円形又は略楕円形の横断形状を備える。また、底部１４の底面１４ａには、中央部分が陥没部１４ｂとして陥没すると共に、陥没部１４ｂの外側の楕円環状の帯状部分に、同心状に配置された一対の楕円環状リブ２１が、下方に突出して設けられていることで、自立載置部１３が形成される。この底面１４ａの自立載置部１３によって、薄肉ボトル容器１０を陳列棚等の被載置面に載置した際に、安定した状態で自立させことが可能になる。
【００２１】
また、本実施形態では、底部１４には、図１及び図２（ａ）に示すように、容器１０の表裏一対の正面部に設けられた段差稜線２２が、設けられている。段差稜線２２は、ラベル取付面としても機能する胴部１５の正面パネル面１６よりも、底部１４の正面部が外側に配置されるように例えば０．５〜２．０ｍｍ程度の深さｈ（図２（ｂ）参照）の段差を形成するために設けられたものである。底部１４の正面部が、段差稜線２２を介して胴部１５の正面パネル面１６よりも外側に、オフセット面として配置されることで、例えば容器１０の梱包時に複数の容器１０が互いに密着して配置された際に、オフセット面同士を当接させてラベル取付面同士を接触させないことで、貼着されたラベルが擦れ合って損傷するのを効果的に回避することが可能になる。
【００２２】
さらに、本実施形態では、底部１４の段差稜線２２に沿った部分の最も外側に配置される中央部には、底面１４ａに対して垂直又は略垂直な面に沿って平坦に面取りされたフラット当接面２３が設けられている。底部１４の正面部の最も外側に配置される部分にフラット当接面２３が設けられていることにより、例えば容器の製造ライン上や、充填ライン上や、梱包時において、隣接する容器１０のフラット当接面２３同士を当接させることで、容器１０が回転して整列した状態が乱れるのを効果的に回避することが可能になる。
【００２３】
さらにまた、本実施形態では、段差稜線２２は、容器１０の表裏一対の正面方向から見て下方に凸のＵ字形状に延設すると共に、後述する胴部１５の正面パネル面１６の湾曲凸面１８に沿って、容器１０の横断方向にも湾曲することで、単一２次元平面にない３次元形状に湾曲して延設している。段差稜線２２が３次元形状に湾曲して延設していることにより、段差稜線２２の部分で容器１０が変形しやすくなるのを、効果的に回避することが可能になる。
【００２４】
そして、本実施形態では、薄肉ボトル容器１０の胴部１５は、図１及び図２（ａ），（ｂ）に示すように、対向する一対の正面パネル面１６と、これらの一対の正面パネル面１６の側縁部１６ａ間に挟まれて配置される対向する一対の側面パネル面１７とを含んで構成される。
【００２５】
一対の正面パネル面１６は、図２（ａ）に示す薄肉ボトル容器１０の正面部において、ラベル貼着境界案内線２０と段差稜線２２とによって上下を区画されて、上方の肩部１２と下方の底部１４との間に挟まれる部分である。正面パネル面１６は、下辺が段差稜線２２に沿って湾曲すると共に、両側の側辺が、一対の側面パネル面１７の湾曲凹面１９の湾曲形状に沿って湾曲する、略縦長矩形の正面形状を備える。
【００２６】
また、正面パネル面１６は、容器１０の外側に凸に湾曲して滑らかに連続する一枚の湾曲凸面１８を形成しており、本実施形態では、この湾曲凸面１８は、正面パネル面１６の幅方向の横断面においてのみ外側に凸に湾曲する、２次曲面となっている。正面パネル面１６の湾曲凸面１８が２次曲面となっていることにより、正面パネル面１６をラベル取付面として、装着したり貼着したりすることで、ラベルを容易に取り付けることが可能になる。ラベルは、タックラベル、巻きラベル、シュリンクラベル等、種々のものを用いて取り付けることができ、またプラスチック製や紙製のラベルを用いることができる。
【００２７】
さらに、正面パネル面１６の湾曲凸面１８は、ラベル貼着境界案内線２０に沿った肩部１２の下端部における正面部分の曲率半径と略同様の、幅方向の横断面における曲率半径が例えば２０〜６０ｍｍ、好ましくは３０〜４５ｍｍ、特に好ましくは３５〜４５ｍｍの湾曲面となっている。
【００２８】
ここで、湾曲凸面１８の曲率半径が大き過ぎると、把持したままキャップを開けると液が不用意にあふれ出るという不具合が生じることになり、小さ過ぎると、商品情報を提供するラベルを貼る正面の面積の確保が困難になるという不具合が生じることになる。また、湾曲凸面１８の曲率半径を３０〜５０ｍｍとすることで、変形し難くなることと、ラベルを貼る面積を十分に確保できることとの両立を図ることが可能になる。
【００２９】
一対の側面パネル面１７は、図１及び図２（ｂ）に示すように、薄肉ボトル容器１０の側面部において、表裏一対の正面パネル面１６の両側の側縁部１６ａの間に各々挟まれて設けられる。側面パネル面１７は、偏平な縦長の略楕円形状を備えており、その両側の側縁部１７ａが接続稜線２４を介して正面パネル面１６の側縁部１６ａに各々接続している。また、側面パネル面１７の上端部のＵ字状縁部１７ｂが、ラベル貼着境界案内線２０を越えて、胴部１５から肩部１２に食い込んで配置されると共に、側面パネル面１７の下端部のＵ字状縁部１７ｃが、段差稜線２２を越えて、胴部１５から底部１４に食い込んで配置される。これらによって、側面パネル面１７は、胴部１５から肩部１２及び底部１４に食い込んで設けられる。側面パネル面１７が胴部１５から肩部１２及び底部１４に食い込んで設けられていることにより、肩部１２及び底部１４の角部が薄肉になって変形しやすくなることを防ぐ効果がある（ブロー成形の際、薄肉になるのを防ぐことが可能になる。）。
【００３０】
また、側面パネル面１７は、容器１０の内側に凸に湾曲して滑らかに連続する一枚の湾曲凹面１９を形成しており、本実施形態では、この湾曲凹面１９は、側面パネル面１７の高さ方向の縦断面においてのみ、例えば７００〜１１００ｍｍの曲率半径で内側に凸に湾曲する２次曲面となっている。なお、この湾曲凹面１９は、側面パネル面１７の幅方向の横断面においてのみ、例えば１５０〜３００ｍｍの曲率半径で内側に凸に湾曲する２次曲面とすることもできる。側面パネル面１７の高さ方向の縦断面及び幅方向の横断面の双方において内側に凸に湾曲する３次曲面とすることもできる。側面パネル面１７を３次曲面とすることにより、側面パネル面１７によって内部の減圧による変形を吸収する機能や、外部からの荷重による変形を抑制する機能を、さらに効果的に発揮させることが可能になる。
【００３１】
さらに、本実施形態では、側面パネル面１７の最も外側に配置される、肩部１２に食い込んだ部分の上端部と、底部１４に食い込んだ部分の下端部には、底部１４の底面１４ａに対して垂直又は略垂直な面に沿って平坦に面取りされた、フラット当接面２５が設けられている。容器１０の側面部の最も外側に配置される部分にフラット当接面２５が設けられていることにより、上述の底部１４の正面部に設けられたフラット当接面２３と同様に、隣接する容器１０のフラット当接面２５同士を当接させることで、容器１０が回転して整列した状態が乱れるのを効果的に回避することが可能になる。
【００３２】
そして、上述の構成を備える本実施形態の薄肉ボトル容器１０によれば、内部の減圧による変形を目立たなくして外観が損なわれないようにすることができると共に、胴部１５を把持した力による変形を効果的に抑制することができる。
【００３３】
すなわち、本実施形態によれば、容器１０の胴部１５は、対向する一対の正面パネル面１６と、これらの側縁部１６ａの間に挟まれて配置される対向する一対の側面パネル面１７とを含んでおり、一対の正面パネル面１６は、各々、容器１０の外側に凸に湾曲して滑らかに連続する一枚の湾曲凸面１８を形成しており、一対の側面パネル面は、容器１０の内側に凸に湾曲して滑らかに連続する一枚の湾曲凹面１９を形成している。したがって、一対の側面パネル面１７の内側に凸に湾曲する湾曲凹面１９は、内側に引き込まれる力を受けてさらに内側に湾曲し易い形状となっているので、例えば液体洗剤の充填時と液体洗剤が封入されて製品化された後の陳列時との温度差や、液体洗剤に含まれる界面活性剤が容器１０の内部に残存する空気中の酸素を吸収すること等によって、封止された容器１０の内部が減圧された際に、このような内部の減圧による変形を、側面パネル面１７の変形によって積極的に吸収することで、大きな面積の正面部を構成する正面パネル面１６には変形が及ばないようして、容易に外観が損なわれないようにすることが可能になる。
【００３４】
また、本実施形態によれば、容器１０の胴部１５は、一対の正面パネル面１６と一対の側面パネル面１７とからなる偏平な横断面形状を備えていることで、使用者は、一対の正面パネル面１６を両側から把持して使用するように誘導される。そして、一対の正面パネル面１６は、外側に凸に湾曲する湾曲凸面１８を形成していることで、外側からの把持力に対して、平坦に変形しないように効果的に抵抗すると共に、一対の側面パネル面１７は、内側に凸に湾曲する湾曲凹面１９を形成していることで、正面パネル面１６への把持力によって内部の液体洗剤を介して負荷される、内側からの加圧力に対して、平坦に変形しないように効果的に抵抗することになる。したがって、これらの正面パネル面１６による把持力に対する抵抗力と、側面パネル面１７による把持力に対する抵抗力との相乗効果によって、胴部１５の保形剛性を効率良く発揮させて、容器１０がポロプロピレンやポリエチレンを使用して形成されたものであっても、胴部１５を把持した力による変形を効果的に抑制することが可能になる。
【００３５】
なお、本発明は上記実施形態に限定されることなく種々の変更が可能である。例えば、薄肉ボトル容器は、ＣＯ2の排出量が少ない合成樹脂として、石油由来のポリプロピレンやポリエチレンの他、バイオマスプラスチック（ポリプロピレン、ポリエチレン）等を用いて形成できる他、ポリエチレンテレフタレートや塩化ビニル等を用いて形成することもできる。また、薄肉ボトル容器に収納される液体は、液体洗剤の他、食品や化粧、薬品等の、その他の種々の液体であっても良い。さらに、正面パネル面によって形成される湾曲凸面は、高さ方向の縦断面及び／又は幅方向の横断面において凸状に湾曲する湾曲凸面とすることもできる。さらにまた、図３に示すように、段差稜線３０を、肩部１２と胴部１５との接続部分に設けることもできる。図４（ａ）〜（ｃ）に示すような形状の薄肉ボトル容器とすることもできる。凹溝や凸リブを適宜設けて補強することで、保形剛性を向上させるようにすることできる。凸リブは、肩部、底部、正面パネル部（第１パネル面）、側面パネル部（第２パネル面）、フラット当接面等に設けることができる。
【００３６】
本発明は、本体部断面が、四面体以外の、例えば多面体の場合にも応用できる。
【実施例】
【００３７】
以下、実施例及び比較例により、本発明の薄肉ボトル容器をさらに詳細に説明するが、本発明はこれらに限定されるものではない。
【００３８】
〔実施例１、比較例１〕
上記実施形態と同様の構成を備える薄肉ボトル容器を実施例１の薄肉ボトル容器とした。正面パネル面や側面パネル面に湾曲凸面やの湾曲凹面を備えていない、図５に示す薄肉ボトル容器を比較例１の薄肉ボトル容器とした。実施例１の薄肉ボトル容器及び比較例１の薄肉ボトル容器について、以下のようなＦＥＭ解析によって、把持した際の樹脂量と最大変位との関係を解析した。解析結果を図６に示す。
【００３９】
〔解析方法〕
市販のＦＥＭ解析プログラム「SolidWorks」（ダッソー・システムズ・ソリッドワークス社製）を用いて、実施例１の薄肉ボトル容器及び比較例１の薄肉ボトル容器の３次元モデルを作成した。「SolidWorks  Simulation」にて容器の胴部を棒（指の代用）によって所定の荷重によって押す解析を行った。棒は、前後以外の動きを規制し、支持方向のみに移動可能とした。また、３次元モデルは半分で対称形状である拘束条件を与えた。
【００４０】
図６に示す解析結果によれば、本発明に係る実施例１の薄肉ボトル容器によれば、把持した際の変形を効果的の抑制できることが判明する。
【符号の説明】
【００４１】
１０  薄肉ボトル容器
１１  本体部
１２  肩部
１３  自立載置部
１４  底部
１４ａ  底面
１５  胴部
１６  正面パネル面（第１パネル面）
１６ａ  側縁部
１７  側面パネル面（第２パネル面）
１７ａ  側縁部
１７ｂ，１７ｃ  Ｕ字状縁部
１８  湾曲凸面
１９  湾曲凹面
２０  ラベル貼着境界案内線
２１  楕円環状リブ
２２  段差稜線
２３，２５  フラット当接面
２４，３０  接続稜線
２６  口首部
【図１】
0005637787.tif 000002
【図２】
0005637787.tif 000003
【図３】
0005637787.tif 000004
【図４】
0005637787.tif 000005
【図５】
0005637787.tif 000006
【図６】
0005637787.tif 000007